(57)【要約】      （修正有）【課題】畳むと、副親骨が内親骨とずれて設置され、直径を効果的に減少させることができる折り畳み傘の傘骨構造を提供する。【解決手段】傘骨構造は、内親骨１０、外親骨２０、副親骨３０、受骨４０および接続部品５０を含む。接続部品はピン接合部５１、挿接部５２と、ピン接合部および挿接部の間に位置するヒンジ連結部５３を含む。外親骨の一端は挿接部と接続され、内親骨の一端はヒンジ連結部とピン接合され、受骨の一端はピン接合部とピン接合される。副親骨は本体部３１、内親骨方向に屈曲した屈曲部３２、および接続部３３を含み、屈曲部は本体部および接続部と接続される。接続部は内親骨の中部とピン接合され、副親骨は内親骨の側面に接続され、受骨の別の一端は本体部とピン接合される。【選択図】図２
0003190797.tif 000002
【実用新案登録請求の範囲】
【請求項１】
内親骨、外親骨、副親骨、受骨および接続部品を含み、
当該接続部品がピン接合部、挿接部と、当該ピン接合部および当該挿接部の間に位置するヒンジ連結部を含み、
当該外親骨の一端が当該挿接部と接続され、当該内親骨の一端が当該ヒンジ連結部とピン接合され、当該受骨の一端が当該ピン接合部とピン接合される、折り畳み傘の傘骨構造であって、
当該副親骨が本体部、当該内親骨方向に屈曲した屈曲部、および接続部を含み、当該屈曲部が当該本体部および当該接続部と接続され、当該接続部が当該内親骨の中部とピン接合され、当該副親骨が当該内親骨の側面に接続され、当該受骨の別の一端が当該本体部とピン接合されることを特徴とする、折り畳み傘の傘骨構造。
【請求項２】
当該ヒンジ連結部が、当該接続部品の当該副親骨に近い側面に突設され、当該内親骨が当該副親骨および当該外親骨の間にあることを特徴とする、請求項１に記載の折り畳み傘の傘骨構造。
【考案の詳細な説明】
【技術分野】
【０００１】
本考案は折り畳み傘の傘骨構造に関する。
【背景技術】
【０００２】
傘は最も常用される日常生活用品とされ、風を遮る、雨を避ける、日焼けを防止するなどの機能を有する。このうち、折り畳み傘は保管が便利なため、使用者に好まれている。折り畳み傘は、外折れ式折り畳み傘および内折れ式折り畳み傘に分けることができる。
【０００３】
図１を参照されたい。図１に示すのは、既存の外折れ式折り畳み傘の骨格であり、内親骨１、外親骨２、外折れ親骨３、副親骨４、受骨５、中棒７、上ロクロ８および下ロクロ９を含む。上ロクロ８は中棒７の上端に固定接続され、下ロクロ９は当該中棒７にスライド可能に嵌設される。内親骨１の一端は下ロクロ９とピン接合され、別の一端は外親骨２の中部とピン接合される。副親骨４の一端は上ロクロ８とピン接合され、別の一端は内親骨１の中部にピン接合される。受骨５の両端がそれぞれ副親骨４の中部および外親骨２の一端とピン接合され、外親骨２の別の一端が外折れ親骨３の内端とピン接合される。
【０００４】
この種の外折れ式折り畳み傘の骨格は、使用するときに次のような技術的問題が存在する。すなわち、傘を畳むと、副親骨４、内親骨１、外親骨２が垂直に一つに重なり、それによって、傘の骨格の直径が比較的大きくなり、傘の体積も比較的大きくなり、保管が不便なことである。
【考案の概要】
【課題を解決するための手段】
【０００５】
本考案は、畳んだ状態の体積が比較的小さい、折り畳み傘の傘骨構造を提供する。本考案において、その技術的問題を解決するのに採用した技術案は次の通りである。
【０００６】
折り畳み傘の傘骨構造は、内親骨、外親骨、副親骨、受骨および接続部品を含む。当該接続部品はピン接合部、挿接部と、当該ピン接合部および当該挿接部の間に位置するヒンジ連結部を含む。当該外親骨の一端は当該挿接部と接続され、当該内親骨の一端は当該ヒンジ連結部とピン接合され、当該受骨の一端は当該ピン接合部とピン接合される。
【０００７】
当該副親骨は本体部、当該内親骨方向に屈曲した屈曲部、および接続部を含み、当該屈曲部は当該本体部および当該接続部と接続される。当該接続部は当該内親骨の中部とピン接合され、当該副親骨は当該内親骨の側面に接続され、当該受骨の別の一端は当該本体部とピン接合される。
【０００８】
好ましい実施例において、当該ヒンジ連結部は、当該接続部品の当該副親骨に近い側面に突設され、当該内親骨は当該副親骨および当該外親骨の間にある。
【考案の効果】
【０００９】
本技術案は背景技術と比較して、以下のような利点を有する。
【００１０】
１．当該屈曲部が当該内親骨方向に屈曲することにより、当該副親骨が当該内親骨の側面に接続される。このように、傘骨構造を畳むと、当該副親骨が当該内親骨とずれて設置され、傘骨構造の直径を効果的に減少させ、傘骨構造が細くなる利点を有する。
【００１１】
２．当該ヒンジ連結部は、当該接続部品の当該副親骨に近い側面に突設され、それにより、当該内親骨を当該外親骨の側面に接続させる。このように、当該内親骨は当該副親骨および当該外親骨の間にあり、当該副親骨、当該内親骨、当該外親骨の３つは、横一列に設置され、傘骨構造の直径がさらに減少する。
【図面の簡単な説明】
【００１２】
以下に附図および実施例を組み合わせて、本考案に対してさらなる説明を行う。
【００１３】
【図１】図１は、既存技術の外折れ式折り畳み傘における骨格の概要図である。
【図２】図２は、本考案の折り畳み傘の傘骨構造の立体概要図である。
【図３】図３は、図２に示す折り畳み傘の傘骨構造における副親骨の概要図である。
【考案を実施するための形態】
【実施例】
【００１４】
図２および図３を参照されたい。本考案の折り畳み傘の傘骨構造は、畳んだ状態では傘骨構造が細く、携帯に便利である。当該傘骨構造は内親骨１０、外親骨２０、副親骨３０、受骨４０および接続部品５０を含む。
【００１５】
当該副親骨３０は本体部３１、屈曲部３２および接続部３３を含む。当該屈曲部３２は、当該本体部３１および当該接続部３３と接続される。当該屈曲部３２の存在により、当該本体部３１および当該接続部３３の２つは、相互にずれて同一線上に位置しない。
【００１６】
当該接続部品５０はピン接合部５１、挿接部５２およびヒンジ連結部５３を含む。当該ヒンジ連結部５３は、当該ピン接合部５１および当該挿接部５２の間に位置し、なおかつ、当該ヒンジ連結部５３は当該接続部品５０の側面に突設される。
【００１７】
当該外親骨２０の一端および当該挿接部５２は一つに挿接され、当該内親骨１０の一端は当該ヒンジ連結部５３とピン接合され、当該受骨４０の一端は当該ピン接合部５１とピン接合される。当該副親骨３０の接続部３３は当該内親骨１０の側面の中部にピン接合され、当該受骨４０の別の一端は当該本体部３１とピン接合される。当該内親骨１０は当該副親骨３０および当該外親骨２０の間にある。
【００１８】
当該傘骨構造を畳むと、当該副親骨３０、当該内親骨１０、当該外親骨２０の３つは横一列に並んで設置され、なおかつ当該受骨４０は、当該内親骨１０および当該副親骨３０の間に収容される。
【００１９】
以上の記載は、本考案の好ましい実施例に過ぎず、そのため、これにより本考案の実施範囲を限定することはできない。すなわち本考案の実用新案登録請求の範囲および明細書の内容に基づいて行われる同等の変化および修飾は、いずれも本考案に包含される範囲内に属するべきである。
【図１】
0003190797.tif 000003
【図２】
0003190797.tif 000004
【図３】
0003190797.tif 000005